(57)【要約】【課題】複数層の表示装置を備えた電子機器において、タッチパネルの操作がいずれの表示装置に対するものであるかを適正に判断する電子機器を提供する。【解決手段】ウエアラブル端末装置において、複数の表示部（第１表示部１６ａ及び第２表示部１６ｂ）が積層されてなる表示手段（表示部１６）と、表示手段の表示領域上に配設され、タッチ操作が可能なタッチパネル３０と、制御手段（メインＣＰＵ１１、サブＣＰＵ１２、判断部２０）と、を備える。制御手段は、タッチ操作が複数の表示部のうちのどの表示部に対するものかを判断し、判断された表示部に対してタッチ操作に応じた操作内容の処理を実行する。【選択図】図２
2018018544.tif 000002
【特許請求の範囲】
【請求項１】
第１の表示部と、前記第１の表示部より消費電力が少ない第２の表示部が積層されてなる表示手段と、
前記表示手段の表示領域上に配設され、タッチ操作が可能なタッチパネルと、
制御手段と、を備え、
前記制御手段は、
当該タッチ操作が前記第１の表示部と第２の表示部のうちのどの表示部に対するものかを判断し、
判断された表示部に対して前記タッチ操作に応じた操作内容の処理を実行するとともに、前記第１の表示部と第２の表示部の両方が消灯されている状態で、前記タッチ操作がなされた時は、前記第２の表示部が操作されたものと判断して前記第２の表示部を点灯させることを特徴とする表示装置。
【請求項２】
前記制御手段は、
前記タッチ操作がなされた位置の前記表示手段の表示態様に基づいて、当該タッチ操作が前記第１の表示部と第２の表示部のうちのどの表示部に対するものかを判断し、
判断された表示部に対して前記タッチ操作に応じた操作内容の処理を実行することを特徴とする請求項１に記載の表示装置。
【請求項３】
前記制御手段は、
前記タッチ操作がなされた位置のタッチ操作の態様に基づいて、当該タッチ操作が前記第１の表示部と第２の表示部のうちのどの表示部に対するものかを判断し、
判断された表示部に対して前記タッチ操作に応じた操作内容の処理を実行することを特徴とする請求項１に記載の表示装置。
【請求項４】
前記制御手段は、
前記第１の表示部と第２の表示部にそれぞれ表示される表示情報の表示領域と、前記タッチ操作がなされたときの操作位置を検出し、
前記検出した前記表示領域と前記操作位置とに基づいて、当該タッチ操作が前記第１の表示部と第２の表示部のうちのどの表示部に対するものかを判断することを特徴とする請求項２又は３に記載の表示装置。
【請求項５】
前記制御手段は、
前記検出した前記表示領域に対する前記操作位置を検出した場合、前記第１の表示部と第２の表示部のうちの当該表示領域の表示情報を表示する表示部に対して前記タッチ操作がなされたと判断することを特徴とする請求項４に記載の表示装置。
【請求項６】
前記第１の表示部と第２の表示部毎、又は前記表示領域毎に特有のタッチ操作パターンを対応付けて記憶している記憶手段を有し、
前記制御手段は、
前記検出した各表示領域において互いに重なり合う重合領域があり当該重合領域に対して前記タッチ操作がなされた場合、当該タッチ操作のタッチ操作パターンと対応付けられている表示部又は表示領域に対して当該タッチ操作がなされたと判断することを特徴とする請求項５に記載の表示装置。
【請求項７】
前記第２の表示部は、部分的に又は全体的に光を透過可能な液晶パネルから構成されることを特徴とする請求項１〜６の何れか一項に記載の表示装置。
【請求項８】
さらに、手動のスイッチを備え、該スイッチは、前記タッチ操作が前記第１の表示部と第２の表示部のうちのどの表示部に対するものかを指定するものであり、
前記制御手段は、前記スイッチの状態を判断し、判断された表示部に対して前記タッチ操作に応じた操作内容の処理を実行することを特徴とする請求項１〜７の何れか一項に記載の表示装置。
【請求項９】
前記表示手段は、
下層側に配置される第１の表示部と、上層側に配置される第２の表示部を含み、前記第１の表示部の下層側にバックライトが配置され、前記第２の表示部の上層側に前記タッチパネルが配置されることを特徴とする請求項１〜８の何れか一項に記載の表示装置。
【請求項１０】
前記制御手段は、
前記第１の表示部と、前記第２の表示部にそれぞれ表示される表示情報の表示領域と、前記タッチ操作がなされたときの操作位置を検出し、
前記検出した各表示領域において互いに重なり合う重合領域があり、当該重合領域に対して前記タッチ操作がなされた場合、当該タッチ操作の態様が所定時間以上の長押しであった場合に当該タッチ操作が前記第２の表示部に対するものであると判断することを特徴とする請求項９に記載の表示装置。
【請求項１１】
前記制御手段は、
前記第１の表示部と、前記第２の表示部にそれぞれ表示される表示情報の表示領域と、前記タッチ操作がなされたときの操作位置を検出し、
前記検出した各表示領域において互いに重なり合う重合領域があり、当該重合領域に対して前記タッチ操作がなされた場合、当該タッチ操作の態様が所定時間未満の短押しであった場合に当該タッチ操作が前記第１の表示部に対するものであると判断することを特徴とする請求項９に記載の表示装置。
【請求項１２】
前記制御手段は、
メイン制御部とサブ制御部からなり、
前記メイン制御部は前記第１の表示部に対して前記タッチ操作に応じた操作内容の処理を実行し、前記サブ制御部は前記第２の表示部に対して前記タッチ操作に応じた操作内容の処理を実行することを特徴とする請求項９〜１１の何れか一項に記載の表示装置。
【請求項１３】
前記制御手段は、
メイン制御部とサブ制御部からなり、
前記メイン制御部は前記第１の表示部に対して表示制御の指示に係る処理を実行し、前記サブ制御部は前記第２の表示部に対して表示制御の指示に係る処理を実行するとともに、前記メイン制御部と前記サブ制御部は、排他的に前記第１の表示部と前記第２の表示部に対して表示制御の指示に係る処理を実行することを特徴とする請求項９に記載の表示装置。
【請求項１４】
前記制御手段は、
前記第１の表示部と第２の表示部の表示態様として、前記第１の表示部が表示中であるか前記第２の表示部が表示中であるかに基づいて、当該タッチ操作が前記複数の表示部のうちのどの表示パネルに対するものかを判断し、
判断された表示部に対して前記タッチ操作に応じた操作内容の処理を実行することを特徴とする請求項１３に記載の表示装置。
【請求項１５】
前記表示手段は、
前記第１の表示部と前記第２の表示部が排他的に動作することを特徴とする請求項９、１３、１４の何れか一項に記載の表示装置。
【請求項１６】
表示装置における制御方法であって、
第１の表示部と第２の表示部が積層されてなる表示領域上に配設されたタッチパネルへのタッチ操作が当該複数の表示部のうちのどの表示部に対するものかを判断するステップと、
判断された表示部に対して前記タッチ操作に応じた操作内容の処理を実行する処理ステップと、
前記第１の表示部と第２の表示部の両方が消灯されている状態で、前記タッチ操作がなされた時は、前記第２の表示部が操作されたものと判断して前記第２の表示部を点灯させるステップと、
を含むことを特徴とする制御方法。
【請求項１７】
第１の表示部と第２の表示部が積層されてなる表示手段と、前記第１の表示部と第２の表示部の表示領域上に配設され、タッチ操作が可能なタッチパネルと、を備える表示装置のコンピュータを、
前記タッチ操作が前記第１の表示部と第２の表示部のうちのどの表示部に対するものかを判断する判断手段、
前記判断手段によって判断された表示部に対して前記タッチ操作に応じた操作内容の処理を実行するとともに、前記第１の表示部と第２の表示部の両方が消灯されている状態で、前記タッチ操作がなされた時は、前記第２の表示部が操作されたものとして処理する処理手段、
として機能させることを特徴とするプログラム。
【発明の詳細な説明】
【技術分野】
【０００１】
本発明は、表示装置、制御方法及びプログラムに関する。
【背景技術】
【０００２】
近年、人体に装着して、ランニングやサイクリング、スイミング、トレッキング等の運動時や、日常生活における各種のデータを記録して分析するための様々な製品が開発され、市販されている。また、携帯電話機やスマートフォン（高機能型携帯電話機）、タブレット端末等の携帯型の電子機器も広く普及している。このような電子機器は、利用者に各種の情報を提供するための表示装置を備えている。更に、このような表示装置は、入力操作のためのタッチパネルを備えている。
【０００３】
例えば特許文献１には、利用者の身体に装着し、運動時に収集したり、分析したりした各種のデータを、タッチパネル付き表示装置に表示して利用者に提供する機能を備えた、いわゆるスポーツウォッチが開示されている。
【０００４】
上述したスポーツウォッチやスマートフォンをはじめ、近年の装着型や携帯型の電子機器においては、例えば加速度センサやジャイロセンサ（角速度センサ）、ＧＰＳ（Global Positioning System；全地球測位システム）による測位センサ等のセンサ類や、各種のデータ通信機能等を備えている。
【０００５】
これらのセンサ類や通信機能は、電子機器の携帯時や使用時には、常時動作を行うように設定され、また、それらにより取得された各種の情報が、表示装置を介して利用者に様々な表示形態で随時提供される。これにより、利用者は自己の運動状態や移動経路等を、容易に把握することができる。
【０００６】
上述した装着型や携帯型の電子機器は、小さい表示画面で、利用者に様々な表示形態で随時情報を提供するため、特許文献２に開示されているように、２層の液晶表示装置を備えたものもある。
【先行技術文献】
【特許文献】
【０００７】
【特許文献１】特開２０１３−１４０１５８号公報
【特許文献２】特開２００４−１４５８２１号公報
【発明の概要】
【発明が解決しようとする課題】
【０００８】
ところで、上述した装着型や携帯型の電子機器において複数層の表示装置を備えるようにした場合、タッチパネルの操作がいずれの表示装置に対するものであるかを適正に判断することが望まれる。
【０００９】
本発明の目的は、タッチパネルを備えた表示装置において、操作を適正に判断することである。
【課題を解決するための手段】
【００１０】
上記課題を解決するため、本発明に係る表示装置は、
第１の表示部と、前記第１の表示部より消費電力が少ない第２の表示部が積層されてなる表示手段と、
前記表示手段の表示領域上に配設され、タッチ操作が可能なタッチパネルと、
制御手段と、を備え、
前記制御手段は、
当該タッチ操作が前記第１の表示部と第２の表示部のうちのどの表示部に対するものかを判断し、
判断された表示部に対して前記タッチ操作に応じた操作内容の処理を実行するとともに、前記第１の表示部と第２の表示部の両方が消灯されている状態で、前記タッチ操作がなされた時は、前記第２の表示部が操作されたものと判断して前記第２の表示部を点灯させることを特徴としている。
【発明の効果】
【００１１】
本発明によれば、タッチパネルを備えた表示装置において、操作を適正に判断することができる。
【図面の簡単な説明】
【００１２】
【図１】本発明を適用した一実施形態のウエアラブル端末装置の概略図である。
【図２】本発明を適用した一実施形態のウエアラブル端末装置の概略構成を示すブロック図である。
【図３】図１のウエアラブル端末装置による表示変更処理に係る動作の一例を示すフローチャートである。
【図４】図３の表示変更処理における操作対象判断処理に係る動作の一例を示すフローチャートである。
【図５】表示部に対するタッチ操作の一例を示す図である。
【発明を実施するための形態】
【００１３】
以下に、本発明について、図面を用いて具体的な態様を説明する。ただし、発明の範囲は、図示例に限定されない。
【００１４】
図１は、本発明の表示装置の一実施形態であるウエアラブル端末装置１００の概略図である。
図１に示すように、本実施形態のウエアラブル端末装置１００は、腕時計型をなしており、本体部１と、バンド部２と、を備えている。また、ウエアラブル端末装置１００は、本体部１において表示部１６を備えている。
この表示部１６は、第１表示部（第１の表示部）１６ａと第２表示部（第２の表示部）１６ｂとを有しており、具体的には、第１表示部１６ａの上に第２表示部１６ｂが積層された状態で形成されている。このため、表示部１６は、第１表示部１６ａの表示（例えば、地図表示）に第２表示部１６ｂの表示（例えば、時計表示）を重ね合わせて表示することが可能となっている。
【００１５】
また、ウエアラブル端末装置１００は、第２表示部１６ｂのガラス基板上に操作部１９（後述）を構成するタッチパネル３０を備えている。
このタッチパネル３０は、例えば、静電容量方式のタッチパネルであり、第２表示部１６ｂのガラス基板上にＩＴＯ（Indium Tin Oxide）により蒸着されている。
【００１６】
また、ウエアラブル端末装置１００は、バックライト３１０を備えている。
このバックライト３１０は、例えば、第１表示部１６ａの背面側（ユーザの視野側とは反対側）に配置されている。バックライト３１０には、例えば、複数のＬＥＤ（発光素子）と、導光板や光拡散フィルム等の各種の光学部材とを用いた面光源が適用される。
ウエアラブル端末装置１００は、バックライト３１０の発光輝度に応じて第１表示部１６ａまたは第２表示部１６ｂの表示輝度が制御される。なお、バックライト３１０は、第１表示部１６ａの背面側に配置される構成に限るものではなく、第１表示部１６ａの視野側に配置されてフロントライトをなす構成のものであってもよい。
【００１７】
図２は、本実施形態のウエアラブル端末装置１００の概略構成を示すブロック図である。
図２に示すように、ウエアラブル端末装置１００は、装置全体をコントロールする制御手段であるメインＣＰＵ（Central Processing Unit）１１及びサブＣＰＵ１２と、ＲＯＭ（Read Only Memory）１３と、ＲＡＭ（Random Access Memory）１４と、記憶部１５と、表示部１６（第１表示部１６ａ及び第２表示部１６ｂ）と、第１表示部１６ａの表示を制御する第１表示制御部１７と、第２表示部１６ｂの表示を制御する第２表示制御部１８と、操作部１９と、判断部２０と、計時部２１と、電源部２２等を備えている。
【００１８】
メインＣＰＵ１１は、各種演算処理を行い、ウエアラブル端末装置１００の全体動作を統括制御する。本実施形態において、メインＣＰＵ１１は、第１表示制御部１７に対する表示制御の指示やその他実行可能な機能に係る各種動作に係る処理を行う。
【００１９】
サブＣＰＵ１２は、第２表示制御部１８に対する表示制御の指示やその他実行可能な機能に係る各種動作に係る処理を行う。
【００２０】
ＲＯＭ１３は、メインＣＰＵ１１及びサブＣＰＵ１２が実行する種々のプログラムや初期設定データを格納する。
ＲＡＭ１４は、メインＣＰＵ１１及びサブＣＰＵ１２に作業用のメモリ空間を提供し、作業用の一時データを記憶する。
【００２１】
記憶部（記憶手段）１５は、読み書き可能な不揮発性のメモリであり、例えば、フラッシュメモリやＥＥＰＲＯＭ（Electrically Erasable and Programmable Read Only Memory）である。この記憶部１５には、地図データベース１５ａ、タッチ操作パターンデータ１５ｂ等が記憶されている。
【００２２】
地図データベース１５ａには、例えば、図５（ａ）〜（ｄ）に示すように、所定範囲内の地図画像Ｍを第１表示部１６ａに表示するための地図データ（都道府県や市町村等の行政区画、番地等の住所情報や、建物、施設、店舗、公園、鉄道に関する情報、地形情報、道路情報等）が記憶されている。
【００２３】
タッチ操作パターンデータ１５ｂには、第１表示部１６ａ及び第２表示部１６ｂのそれぞれに特有のタッチ操作パターンが対応付けられて記憶されている。
具体的には、タッチ操作パターンデータ１５ｂには、例えば、第１表示部１６ａに対する特有のタッチ操作パターンとして、複数の点にてタッチ操作がなされるマルチタッチパターンが対応付けられて記憶されている。また、第２表示部１６ｂに対する特有のタッチ操作パターンとして、同一位置（タッチ操作位置）での長押し（例えば、２秒）パターンが対応付けられて記憶されている。
【００２４】
表示部１６は、上述のように第１表示部１６ａと、第２表示部１６ｂと、を備えている。
第１表示部１６ａは、ＴＦＴカラー液晶パネルから構成され、後述する第１表示制御部１７の制御下にて各種情報を表示画面に表示する。
【００２５】
第１表示制御部１７は、表示用データを生成して第１表示部１６ａの表示画面に表示させる制御を行う。
本実施形態において、第１表示制御部１７は、例えば、メインＣＰＵ１１からの表示指示に従って、地図データベース１５ａに記憶されている地図データに基づき地図画像Ｍの表示用データを生成し、第１表示部１６ａから出力させる。ここで、メインＣＰＵ１１からの表示指示は、第１表示部１６ａに対する所定のタッチ操作に応じた操作信号がメインＣＰＵ１１に出力されることによりなされる。
【００２６】
第２表示部１６ｂは、部分的に又は全体的に光を透過可能なＰＮ（Polymer Network）液晶パネルから構成され、後述する第２表示制御部１８の制御下にて各種情報を表示画面に表示する。
本実施形態において、第２表示部１６ｂであるＰＮ液晶パネルは、図１に示すように、上述した第１表示部１６ａであるＴＦＴカラー液晶パネルの表示画面上に積層されている。
【００２７】
このＰＮ液晶パネルは、電位が掛けられていない部位では液晶分子が不規則に並び、光を反射するようになっている。つまり、この電位が掛けられていない部位において、ＰＮ液晶パネルによる表示がなされることとなる。一方、電位が掛けられた部位では、液晶分子が表示画面に対して垂直に整列するので、光を透過可能となっている。
【００２８】
つまり、この電位が掛けられた部位では、上述のＴＦＴカラー液晶パネルからの光を透過可能となるので、当該ＰＮ液晶パネルを介して当該ＴＦＴカラー液晶パネルによる表示を視認することができる。
すなわち、本実施形態の表示部１６では、第１表示部１６ａによる表示に第２表示部１６ｂによる表示を重ね合わせた状態で表示することができるようになっている。
【００２９】
前記第２表示部１６ｂであるＰＮ液晶パネルは消費電力が少ないので、通常は、この第２表示部１６ｂで時計表示を行っており、第１表示部１６ａであるＴＦＴカラー液晶パネルの表示は停止している（図５（ｅ）参照）。また、本実施形態では、ウエアラブル端末装置１００を使用しないで放置している場合（例えば、所定時間が経過しても操作部１９（タッチ操作部３０）への操作が無いと判断した場合）は、最も消費電力の少ない全消灯の状態、すなわち第１表示部１６ａの表示も第２表示部１６ｂの表示も停止した状態に移行する。そして、全消灯の状態において、操作部１９（タッチ操作部３０）への操作がなされたと判断した場合、例えば、第２表示部１６ｂだけが各種情報を表示する状態に移行する。なお、上述のように全消灯の状態において、操作部１９（タッチ操作部３０）への操作がなされたと判断した場合、第１表示部１６ａだけが各種情報を表示する状態や、第１表示部１６ａと第２表示部１６ｂの両方が各種情報を表示する状態に移行するようにしてもよい。また、ウエアラブル端末装置１００がジャイロセンサを備えている場合にあっては、全消灯の状態において、当該ジャイロセンサによって腕の動作等を検知した場合に、第１表示部１６ａだけが各種情報を表示する状態や、第２表示部１６ｂだけが各種情報を表示する状態、第１表示部１６ａと第２表示部１６ｂの両方が各種情報を表示する状態に移行するようにしてもよい。
【００３０】
第２表示制御部１８は、表示用データを生成して第２表示部１６ｂの表示画面に表示させる制御を行う。
本実施形態において、第２表示制御部１７は、例えば、サブＣＰＵ１２からの表示指示に従って、計時部２１から取得した時刻情報に基づき時刻画像Ｔの表示用データを生成し、第２表示部１６ｂから出力させる。ここで、サブＣＰＵ１２からの表示指示は、第２表示部１６ｂに対する所定のタッチ操作に応じた操作信号がサブＣＰＵ１２に出力されることによりなされる。
【００３１】
操作部１９は、第２表示部１６ｂの表示画面上に設けられた、前述の静電容量方式のタッチパネル３０を含む。操作部１９は、タッチパネル３０上におけるユーザのタッチ操作位置と操作内容とを検出して当該操作に応じた信号を発生させて、入力信号としてメインＣＰＵ１１に出力する。
【００３２】
判断部２０は、操作部１９へのタッチ操作がなされたときの第１表示部１６ａ及び第２表示部１６ｂの表示態様、及び、タッチ操作の態様の少なくとも何れかに基づいて、このタッチ操作が第１表示部１６ａと第２表示部１６ｂのうちのどの表示部に対するものかを判断する。
具体的には、判断部２０は、第１検出部２０ａと、第２検出部２０ｂと、を備えている。
【００３３】
第１検出部２０ａは、第１表示部１６ａ及び第２表示部１６ｂにそれぞれ表示される表示情報の表示領域を検出する。
具体的には、第１検出部２０ａは、例えば、第１表示制御部１７が第１表示部１６ａであるＴＦＴカラー液晶パネルのドットマトリクスに対応する色や輝度に係る信号を出力した際に当該信号から第１表示部１６ａに表示される表示情報の表示領域を検出する。また、第１検出部２０ａは、第２表示制御部１８が第２表示部１６ｂであるＰＮ液晶パネルのドットマトリクスに対応する電圧の印加信号を出力した際に当該信号から第２表示部１６ｂに表示される表示情報の表示領域を検出する。
【００３４】
第２検出部２０ｂは、操作部１９に対してタッチ操作がなされたときの操作位置を検出する。
具体的には、第２検出部２０ｂは、例えば、操作部１９から入力されたタッチ操作に応じた操作信号に基づき当該タッチ操作の位置を検出する。
【００３５】
本実施形態において、判断部２０は、上述した第１検出部２０ａ及び第２検出部２０ｂの検出状況に応じて、操作部１９へのタッチ操作が第１表示部１６ａに対するものであるか第２表示部１６ｂに対するものであるかを判断する。
【００３６】
具体的には、例えば、操作部１９へのタッチ操作がなされた際、第２表示部１６ｂにて時刻画像Ｔが表示されていない場合、判断部２０は、第２検出部２０ｂにより検出されたタッチ操作の位置に関わらず、当該タッチ操作は第１表示部１６ａに対してなされたと判断する。
【００３７】
また、図５（ａ），（ｃ）に示すように、操作部１９へのタッチ操作がなされた際、第２表示部１６ｂにて時刻画像Ｔが表示されている、すなわち第１表示部１６ａの表示（例えば、地図画像Ｍの表示）に時刻画像Ｔが重ね合わされて表示されている場合、判断部２０は、第２検出部２０ｂにより検出された当該タッチ操作の位置が第１検出部２０ａにより検出された第１表示部１６ａの時刻画像Ｔの領域内にあるか否かを判定する。
【００３８】
そして、図５（ｃ）に示すように、当該タッチ操作の位置が時刻画像Ｔの領域内にないと判定された場合、判断部２０は、当該タッチ操作は第１表示部１６ａに対してなされたと判断する。一方、図５（ａ）に示すように、当該タッチ操作の位置が時刻画像Ｔの領域内にあると判定された場合、判断部２０は、さらに当該タッチ操作の態様がタッチ操作パターンデータ１５ｂに記憶されているタッチ操作パターンと一致するか否かを判定する。
【００３９】
そして、当該タッチ操作の態様が同一位置での長押しパターンと一致すると判定された場合、判断部２０は、当該長押しパターンと対応付けられている第２表示部１６ｂに対してタッチ操作がなされたと判断する。ここで、操作部１９へのタッチ操作が第２表示部１６ｂに対してなされたと判断された場合、当該タッチ操作に応じた操作信号がメインＣＰＵ１１を介してサブＣＰＵ１２に出力されることとなる。
【００４０】
一方、当該タッチ操作の態様がマルチタッチパターンと一致すると判定された場合、判断部２０は、当該マルチタッチパターンと対応付けられている第２表示部１６ｂに対してタッチ操作がなされたと判断する。
【００４１】
なお、本実施形態では、タッチ操作の態様がタッチ操作パターンデータ１５ｂに記憶されているいずれのタッチ操作パターンとも一致しない場合、判断部２０は、第１表示部１６ａに対してタッチ操作がなされたと判断するものとする。
【００４２】
計時部２１は、図示は省略するが、例えば、タイマや計時回路等を備えて構成され、現在の時刻を計時して時刻情報を取得する。そして、計時部２１は、取得した時刻情報をサブＣＰＵ１２に出力する。
【００４３】
電源部２２は、ウエアラブル端末装置１００の動作に係る電力を所定の電圧で供給する。電源部２２は、例えば、各種方式の電池（リチウム電池、ニッケル・水素充電池等）を具備している。本実施形態では、電源部２２からメインＣＰＵ１１及びサブＣＰＵ１２に対して電力が供給される。
【００４４】
図２において、第１検出部２０ａと第２検出部２０ｂを備える判断部２０は、独立のブロックとして示したが、メインＣＰＵ１１の一部として、メインＣＰＵ１１のブロックに含ませてもよい。また、メインＣＰＵ１１及びサブＣＰＵ１２は、独立のデュアルプロセッサとしているが、１つのＣＰＵでも実現可能であり、また、１つの半導体パッケージの中に２つのプロセッサコアを含む１個のデュアルＣＰＵとしてもよい。
さらに、第１表示制御部１７のブロックは、メインＣＰＵ１１の一部として、メインＣＰＵ１１のブロックに含ませてもよく、第２表示制御部１８及び計時部２１の各ブロックは、サブＣＰＵ１２の一部として、サブＣＰＵ１２のブロックに含ませてもよい。
【００４５】
＜表示変更処理＞
次に、本実施形態のウエアラブル端末装置１００による表示部１６の表示変更処理について、図３を参照して説明する。
図３は、表示変更処理に係る動作の一例を示すフローチャートである。
【００４６】
図３に示すように、先ず、メインＣＰＵ１１は、操作部１９（タッチパネル３０）へのタッチ操作があるか否かを判定する（ステップＳ１）。ステップＳ１では、操作部１９へのタッチ操作があると判定される（ステップＳ１；ＹＥＳ）まで、ステップＳ１の判定処理を繰り返し実行する。
【００４７】
ステップＳ１において、操作部１９へのタッチ操作があると判定された場合（ステップＳ１；ＹＥＳ）、判断部２０は、操作対象判断処理（ステップＳ２）を実行する。なお、操作対象判断処理を詳細については後述する。
【００４８】
次いで、操作対象判断処理（ステップＳ２）の結果に応じて、第１表示制御部１７又は第２表示制御部１８は、対応する表示部（第１表示部１６ａ又は第２表示部１６ｂ）の表示内容を変更するための表示変更用画像を当該表示部に表示させる（ステップＳ３）。
【００４９】
具体的には、操作対象判断処理（ステップＳ２）にて、例えば、操作部１９へのタッチ操作が第１表示部１６ａの地図画像Ｍの表示に対してなされたものであると判断された場合（図５（ｃ）参照）、第１表示部１６ａの地図画像Ｍの表示変更をし易くするため、第２表示制御部１８は、第２表示部１６ｂに表示されている時刻画像Ｔの表示を非表示とし、地図画像Ｍのみの表示がなされるようにし（図５（ｄ）参照）、地図画像Ｍの拡大縮小操作を受け付ける。
【００５０】
一方、操作部１９へのタッチ操作が第２表示部１６ｂの時刻画像Ｔの表示（例えば、「時」、「分」、「秒」のうちの「時」の領域）に対してなされたものであると判断された場合（図５（ａ）参照）、第２表示制御部１８は、第２表示部１６ｂに表示されている「時」の表示を点滅表示（表示変更用画像）させて時刻設定操作を受け付けるように切り替える。
【００５１】
次いで、メインＣＰＵ１１は、表示変更のためのタッチ操作があるか否かを判定する（ステップＳ４）。
ステップＳ４において、表示変更のためのタッチ操作があると判定された場合（ステップＳ４；ＹＥＳ）、第１表示制御部１７又は第２表示制御部１８は、当該タッチ操作に従って、対応する表示部（第１表示部１６ａ又は第２表示部１６ｂ）の表示内容を変更し（ステップＳ５）、表示変更処理を終了する。
【００５２】
具体的には、図５（ｂ）に示すように、第２表示部１６ｂに表示されている「時」の表示が点滅表示の状態とされているときに、例えば、この「時」の表示部分を表示画面の上部から下部方向になぞるスクロール操作がなされることにより、時刻設定操作がされたと判断し、この「時」の「９」の表示を「８」、「７」、…と変更することができるようになっている。
【００５３】
また、ステップＳ４において、表示変更のためのタッチ操作がないと判定された場合（ステップＳ４；ＮＯ）、メインＣＰＵ１１は、第１表示部１６ａ又は第２表示部１６ｂの表示変更のための表示変更用画像が表示されてから所定時間（タイムアウト時間）が経過したか否かを判定する（ステップＳ６）。
ステップＳ６において、タイムアウト時間が経過していないと判定された場合（ステップＳ６；ＮＯ）は、ステップＳ４へ戻る。一方、タイムアウト時間が経過したと判定された場合（ステップＳ６；ＹＥＳ）は、当該表示変更処理を終了する。
【００５４】
＜操作対象判断処理＞
次に、操作対象判断処理について、図４を参照して詳細に説明する。
図４は、操作対象判断処理に係る動作の一例を示すフローチャートである。
【００５５】
図４に示すように、先ず、判断部２０は、第２表示制御部１８による表示制御の内容から第２表示部１６ｂに時刻画像Ｔが表示されているか否かを判定する（ステップＳ１１）。
ステップＳ１１において、第２表示部１６ｂに時刻画像Ｔが表示されていると判定された場合（ステップＳ１１；ＹＥＳ）、判断部２０は、第２検出部２０ｂにより検出されたタッチ操作の位置が第１検出部２０ａにより検出された第２表示部１６ｂの時刻画像Ｔの表示領域内にあるか否かを判定する（ステップＳ１２）。
【００５６】
ステップＳ１２において、第２検出部２０ｂにより検出されたタッチ操作の位置が第１検出部２０ａにより検出された第２表示部１６ｂの時刻画像Ｔの表示領域内にあると判定された場合（ステップＳ１２；ＹＥＳ）、判断部２０は、さらに当該タッチ操作の態様がタッチ操作パターンデータ１５ｂに記憶されているタッチ操作パターンと一致するか、具体的には、当該タッチ操作の態様が同一位置での長押しパターンと一致するか否かを判定する（ステップＳ１３）。
【００５７】
ステップＳ１３において、タッチ操作の態様が同一位置での長押しパターンであると判定された場合（ステップＳ１３；ＹＥＳ）、判断部２０は、当該タッチ操作が第２表示部１６ｂに対してなされたと判断し（ステップＳ１４）、操作対象判断処理を終了する。
【００５８】
また、ステップＳ１１において、第２表示部１６ｂに時刻画像Ｔが表示されていないと判定された場合（ステップＳ１１；ＮＯ）、ステップＳ１２において、第２検出部２０ｂにより検出されたタッチ操作の位置が第１検出部２０ａにより検出された第２表示部１６ａの時刻画像Ｔの表示領域内にないと判定された場合（ステップＳ１２；ＮＯ）、又は、ステップＳ１３において、タッチ操作の態様が同一位置での長押しパターンでないと判定された場合（ステップＳ１３；ＮＯ）は、判断部２０は、当該タッチ操作が第１表示部１６ａに対してなされたと判断し（ステップＳ１５）、操作対象判断処理を終了する。
【００５９】
以上のように、本実施形態のウエアラブル端末装置１００によれば、判断部２０によって、操作部１９へのタッチ操作がなされたときの表示部１６の表示態様及び当該タッチ操作の態様の少なくとも何れかに基づいて、当該タッチ操作が第１表示部１６ａと第２表示部１６ｂの何れに対するものかを判断することとなる。
【００６０】
従って、操作部１９へのタッチ操作が第１表示部１６ａと第２表示部１６ｂの何れに対するものかを判断し難い場合であっても、当該タッチ操作がなされたときの表示部１６の表示態様及び当該タッチ操作の態様を考慮することにより、当該タッチ操作が第１表示部１６ａと第２表示部１６ｂの何れに対するものかを適正に判断することができる。
【００６１】
また、本実施形態のウエアラブル端末装置１００によれば、第１表示部１６ａと第２表示部１６ｂの何れか一方に対して操作を行うことを選択決定するためのスイッチを設ける必要がなく、また、当該操作を行うために特定のモードに切り替える等の手間をとる必要もないので、操作部１９への所定のタッチ操作を行うだけで、当該タッチ操作が第１表示部１６ａと第２表示部１６ｂの何れに対するものかを簡易に判断することができる。
【００６２】
また、本実施形態のウエアラブル端末装置１００によれば、第１表示部１６ａ及び第２表示部１６ｂにそれぞれ表示される表示情報の表示領域を検出する第１検出部２０ａと、操作部１９へのタッチ操作がなされたときの操作位置を検出する第２検出部２０ｂと、を備え、判断部２０は、第１検出部２０ａにより検出された当該表示領域と、第２検出部２０ｂにより検出された当該操作位置とに基づいて、当該タッチ操作が第１表示部１６ａと第２表示部１６ｂの何れに対するものかを判断することとなる。
【００６３】
具体的には、第２検出部２０ｂによって、第１検出部２０ａにより検出された表示領域に対する操作位置が検出された場合、当該表示領域の表示情報を表示する表示部に対してタッチ操作がなされたと判断することとなるので、当該タッチ操作が第１表示部１６ａと第２表示部１６ｂの何れに対するものかを明確に判断することができる。
【００６４】
また、本実施形態のウエアラブル端末装置１００によれば、第１検出部２０ａにより検出された各表示領域において互いに重なり合う重合領域があり当該重合領域に対してタッチ操作がなされた場合、当該タッチ操作のタッチ操作パターンと対応付けられている表示部に対して当該タッチ操作がなされたと判断することとなる。
【００６５】
従って、操作部１９へのタッチ操作が第１表示部１６ａと第２表示部１６ｂの何れに対するものかを判断し難い場合であっても、当該タッチ操作がなされたときの表示部１６の表示態様及び当該タッチ操作のタッチ操作パターンを考慮することにより、当該タッチ操作が第１表示部１６ａと第２表示部１６ｂの何れに対するものかを適正に判断することができる。
【００６６】
＜変形例＞
次に、変形例のウエアラブル端末装置１００Ｔについて説明する。なお、変形例のウエアラブル端末装置１００Ｔは、基本的には、上記実施形態のウエアラブル端末装置１００と同様の構成を有しているため、以下、同様の構成を有する部分については同じ符号を付し説明する。
【００６７】
上記実施形態のウエアラブル端末装置１００にあっては、（１）第１表示部１６ａだけが各種情報を表示する場合、（２）第２表示部１６ｂだけが各種情報を表示する場合、（３）第１表示部１６ａと第２表示部１６ｂの両方が各種情報を表示する場合、（４）第１表示部１６ａも第２表示部１６ｂも各種情報を表示しない場合（全消灯の場合）、の４種類の表示態様がある。
【００６８】
しかし、変形例のウエアラブル端末装置１００Ｔにあっては、第１表示部１６ａと第２表示部１６ｂを排他的に動作させるようにすることもできる。すなわち、第１表示部１６ａと第２表示部１６ｂの一方が表示中の場合は、他方は各種情報を表示させないものである。
第１表示部１６ａと第２表示部１６ｂの一方を表示中にしている間は、他方はスリープ状態とし、所定のトリガ、例えばタッチパネル３０へのタッチ操作の検出で起動するようにする。
【００６９】
この場合、判断部２０は、メインＣＰＵ１１の制御下において、第１表示部１６ａと第２表示部１６ｂのどちらが表示中であるかに基づいて、操作部１９（タッチパネル３０）に対するタッチ操作が第１表示部１６ａと第２表示部１６ｂのどちらに対するものであるかを判断する。例えば、第１表示部１６ａが表示中である場合、判断部２０は、このときの操作部１９（タッチパネル３０）に対するタッチ操作は第１表示部１６ａに対するものであると判断する一方、第２表示部１６ｂが表示中である場合、判断部２０は、このときの操作部１９（タッチパネル３０）に対するタッチ操作は第２表示部１６ｂに対するものであると判断する。
【００７０】
以上のように、本変形例のウエアラブル端末装置１００Ｔによれば、メインＣＰＵ１１の制御下において、第１表示部１６ａと第２表示部１６ｂのどちらが表示中であるかに基づいて、操作部１９（タッチパネル３０）に対するタッチ操作が第１表示部１６ａと第２表示部１６ｂのどちらに対するものであるかを判断するので、当該タッチ操作が第１表示部１６ａと第２表示部１６ｂの何れに対するものかを容易に判断することができる。
【００７１】
なお、本発明は、上記実施形態に限定されることなく、本発明の趣旨を逸脱しない範囲において、種々の改良並びに設計の変更を行っても良い。
【００７２】
例えば、上記実施形態にあっては、第２表示部１６ｂに表示される時計表示としてデジタル式の時刻画像を表示するようにしたが、これに限らず、例えば、時針、分針、及び秒針により時刻を表すアナログ式の時刻画像を表示するようにしても良い。かかる場合、操作部１９へのタッチ操作が第２表示部１６ｂの時刻画像の表示（例えば、「時針」の領域）に対してなされたものであると判断されると、第２表示制御部１８は、第２表示部１６ｂに表示される「時針」の表示を点滅表示（表示変更用画像）に切り替える。この点滅表示された「時針」の表示画面上に触れそのまま指をスライドさせることにより、表示時刻を変更することができるようになっている。また、第１表示部１６ａ及び第２表示部１６ｂともに、時刻画像に限らずいかなる情報を表示しても良い。
【００７３】
また、上記実施形態にあっては、第１表示部１６ａに特有のタッチ操作パターンとして、マルチタッチパターンを挙げるとともに、第２表示部１６ｂに特有のタッチ操作パターンとして、同一の位置での長押しパターンを挙げたが、各表示部に対する特有のタッチ操作パターンであることを判断することができれば良く、上記のタッチ操作パターンに限られない。
【００７４】
また、上記実施形態にあっては、タッチ操作パターンデータ１５ｂは、第１表示部１６ａ及び第２表示部１６ｂのそれぞれに特有のタッチ操作パターンを対応付けて記憶するようにしたが、更に、表示領域毎に特有のタッチ操作パターンを対応付けて記憶するようにしても良い。かかる場合、判断部２０は、操作部１９へのタッチ操作がなされたときの第１表示部１６ａ及び第２表示部１６ｂの表示態様、及び、タッチ操作の態様の少なくとも何れかに基づいて、このタッチ操作が第１表示部１６ａと第２表示部１６ｂのうちのどの表示部に対するものか、そして当該表示部のどの表示領域に対するものかを判断する。
【００７５】
また、上記実施形態において、判断部２０は、タッチ操作がなされたのが第１表示部１６ａの表示領域と第２表示部１６ｂの表示領域が重なり合う重合領域でなくても、タッチ操作パターンと対応付けられている表示部に対して当該タッチ操作がなされたと判断することができるようにしても良い。
【００７６】
また、上記実施形態において、第１表示部１６ａを動作させるモードと、第２表示部１６ｂを動作させるモードをスイッチで切り替えるようにして、判断部２０は、前記スイッチで指定されているモードに対応付けられている表示部に対して当該タッチ操作がなされたと判断することができるようにしても良い。
また、上記スイッチは、タッチ操作がどの表示部に対応するかを指定するものでも良い。すなわち、当該タッチ操作が、第１表示部１６ａに対応するモードと、第２表示部１６ｂに対応するモードを切り替えるようにして、判断部２０は、前記スイッチで指定されているモードに対応付けられている表示部に対して当該タッチ操作がなされたと判断することができるようにしても良い。
上記スイッチは操作部１９に手動のスイッチとして別途設けてもよいし、タッチパネル３０の一部領域を当該スイッチの領域として使用しても良い。
【００７７】
また、上記実施形態にあっては、第１表示部１６ａと第２表示部１６ｂの２つの表示部で構成されているが、これに限らず複数の表示部が積層されている構成であれば良い。この場合、少なくとも最下層の表示部以外は、部分的に又は全体的に光を透過可能なＰＮ（Polymer Network）液晶パネルによって構成される。
【００７８】
また、上記実施形態にあっては、第１表示部１６ａに地図画像Ｍの表示を行うようにしたが、これに限らず、ユーザ所望の静止画像や動画像等の表示を行うようにしても良い。また、第２表示部１６ｂにあっても、時刻画像に限らず、例えば、ＧＰＳ機能や加速度センサを有するウエアラブル端末装置の場合、速度（ランニングペース）や走行距離等を表す画像を表示するようにしても良い。
【００７９】
また、上記実施形態にあっては、記憶部１５に記憶されている地図データベース１５ａに基づき、第１表示部１６ａに地図画像Ｍの表示を行うようにしたが、これに限らず、例えば、インターネットを通して提供されている地図データを、ウエアラブル端末装置が通信部を介して取得し、この地図データに基づき地図画像を表示するようにしても良い。
【００８０】
また、上記実施形態にあっては、制御手段としての機能を、メインＣＰＵ１１の制御下にて、判断部、サブＣＰＵが駆動することにより実現される構成としたが、これに限られるものではなく、メインＣＰＵ１１によって所定のプログラム等が実行されることにより実現される構成としても良い。
【００８１】
すなわち、プログラムを記憶するプログラムメモリ（図示略）に、制御処理ルーチンを含むプログラムを記憶しておく。そして、制御処理ルーチンによりメインＣＰＵ１１を、操作部１９へのタッチ操作が第１表示部１６ａと第２表示部１６ｂの何れに対するものかを判断し、判断された表示部に対して前記タッチ操作に応じた操作内容の処理を実行する制御手段として機能させるようにしても良い。
【００８２】
また、上記実施形態にあっては、ウエアラブル端末装置を一例とし、本発明の表示装置について説明したが、このようなウエアラブル端末装置に限られることなく、例えば、携帯電話、スマートフォン、ＰＤＡのような端末装置に適用することが可能である。
【００８３】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の表示部が積層されてなる表示手段と、
前記表示手段の表示領域上に配設され、タッチ操作が可能なタッチパネルと、
制御手段と、を備え、
前記制御手段は、
当該タッチ操作が前記複数の表示部のうちのどの表示部に対するものかを判断し、
判断された表示部に対して前記タッチ操作に応じた操作内容の処理を実行することを特徴とする表示装置。
＜請求項２＞
前記制御手段は、
前記タッチ操作がなされた位置の前記複数の表示部の表示態様に基づいて、当該タッチ操作が前記複数の表示部のうちのどの表示部に対するものかを判断し、
判断された表示部に対して前記タッチ操作に応じた操作内容の処理を実行することを特徴とする請求項１に記載の表示装置。
＜請求項３＞
前記制御手段は、
前記タッチ操作がなされた位置のタッチ操作の態様に基づいて、当該タッチ操作が前記複数の表示部のうちのどの表示部に対するものかを判断し、
判断された表示部に対して前記タッチ操作に応じた操作内容の処理を実行することを特徴とする請求項１に記載の表示装置。
＜請求項４＞
前記制御手段は、
前記複数の表示部にそれぞれ表示される表示情報の表示領域と、前記タッチ操作がなされたときの操作位置を検出し、
前記検出した前記表示領域と前記操作位置とに基づいて、当該タッチ操作が前記複数の表示部のうちのどの表示部に対するものかを判断することを特徴とする請求項２又は３に記載の表示装置。
＜請求項５＞
前記制御手段は、
前記検出した前記表示領域に対する前記操作位置を検出した場合、前記複数の表示部のうちの当該表示領域の表示情報を表示する表示部に対して前記タッチ操作がなされたと判断することを特徴とする請求項４に記載の表示装置。
＜請求項６＞
前記複数の表示部毎、又は前記表示領域毎に特有のタッチ操作パターンを対応付けて記憶している記憶手段を有し、
前記制御手段は、
前記検出した各表示領域において互いに重なり合う重合領域があり当該重合領域に対して前記タッチ操作がなされた場合、当該タッチ操作のタッチ操作パターンと対応付けられている表示部又は表示領域に対して当該タッチ操作がなされたと判断することを特徴とする請求項５に記載の表示装置。
＜請求項７＞
前記表示手段は、
前記複数の表示部のうち、少なくとも最下層の表示部以外は、部分的に又は全体的に光を透過可能な液晶パネルから構成されることを特徴とする請求項１〜６の何れか一項に記載の表示装置。
＜請求項８＞
さらに、手動のスイッチを備え、該スイッチは、前記タッチ操作が前記複数の表示部のうちのどの表示部に対するものかを指定するものであり、
前記制御手段は、前記スイッチの状態を判断し、判断された表示部に対して前記タッチ操作に応じた操作内容の処理を実行することを特徴とする請求項１〜７の何れか一項に記載の表示装置。
＜請求項９＞
前記表示手段は、
下層側に配置される第１の表示部と、上層側に配置される第２の表示部を含み、前記第１の表示部の下層側にバックライトが配置され、前記第２の表示部の上層側に前記タッチパネルが配置されることを特徴とする請求項１〜８の何れか一項に記載の表示装置。
＜請求項１０＞
前記制御手段は、
前記第１の表示部と、前記第２の表示部にそれぞれ表示される表示情報の表示領域と、前記タッチ操作がなされたときの操作位置を検出し、  前記検出した各表示領域において互いに重なり合う重合領域があり、当該重合領域に対して前記タッチ操作がなされた場合、当該タッチ操作の態様が所定時間以上の長押しであった場合に当該タッチ操作が前記第２の表示部に対するものであると判断することを特徴とする請求項９に記載の表示装置。
＜請求項１１＞
前記制御手段は、
前記第１の表示部と、前記第２の表示部にそれぞれ表示される表示情報の表示領域と、前記タッチ操作がなされたときの操作位置を検出し、
前記検出した各表示領域において互いに重なり合う重合領域があり、当該重合領域に対して前記タッチ操作がなされた場合、当該タッチ操作の態様が所定時間未満の短押しであった場合に当該タッチ操作が前記第１の表示部に対するものであると判断することを特徴とする請求項９に記載の表示装置。
＜請求項１２＞
前記制御手段は、
メイン制御部とサブ制御部からなり、
前記メイン制御部は前記第１の表示部に対して前記タッチ操作に応じた操作内容の処理を実行し、前記サブ制御部は前記第２の表示部に対して前記タッチ操作に応じた操作内容の処理を実行することを特徴とする請求項９〜１１の何れか一項に記載の表示装置。
＜請求項１３＞
前記制御手段は、
メイン制御部とサブ制御部からなり、
前記メイン制御部は前記第１の表示部に対して表示制御の指示に係る処理を実行し、前記サブ制御部は前記第２の表示部に対して表示制御の指示に係る処理を実行するとともに、前記メイン制御部と前記サブ制御部は、排他的に前記第１の表示部と前記第２の表示部に対して表示制御の指示に係る処理を実行することを特徴とする請求項９に記載の表示装置。
＜請求項１４＞
前記制御手段は、
前記複数の表示部の表示態様として、前記第１の表示部が表示中であるか前記第２の表示部が表示中であるかに基づいて、当該タッチ操作が前記複数の表示部のうちのどの表示パネルに対するものかを判断し、
判断された表示部に対して前記タッチ操作に応じた操作内容の処理を実行することを特徴とする請求項１３に記載の表示装置。
＜請求項１５＞
前記表示手段は、
前記第１の表示部と前記第２の表示部が排他的に動作することを特徴とする請求項９、１３、１４の何れか一項に記載の表示装置。
＜請求項１６＞
表示装置における制御方法であって、
複数の表示部が積層されてなる表示領域上に配設されたタッチパネルへのタッチ操作が当該複数の表示部のうちのどの表示部に対するものかを判断するステップと、
判断された表示部に対して前記タッチ操作に応じた操作内容の処理を実行する処理ステップと、
を含むことを特徴とする制御方法。
＜請求項１７＞
複数の表示部が積層されてなる表示手段と、前記複数の表示部の表示領域上に配設され、タッチ操作が可能なタッチパネルと、を備える表示装置のコンピュータを、
前記タッチ操作が前記複数の表示部のうちのどの表示部に対するものかを判断する判断手段、
前記判断手段によって判断された表示部に対して前記タッチ操作に応じた操作内容の処理を実行する処理手段、
として機能させることを特徴とするプログラム。
【符号の説明】
【００８４】
１００、１００Ｔ  ウエアラブル端末装置
１１    メインＣＰＵ
１２    サブＣＰＵ
１５    記憶部
１５ａ  地図データベース
１５ｂ  タッチ操作パターンデータ
１６    表示部
１６ａ  第１表示部
１６ｂ  第２表示部
１７    第１表示制御部
１８    第２表示制御部
１９    操作部
２０    判断部
２０ａ  第１検出部
２０ｂ  第２検出部
３０    タッチパネル
３１０  バックライト
【図１】
2018018544.tif 000003
【図２】
2018018544.tif 000004
【図３】
2018018544.tif 000005
【図４】
2018018544.tif 000006
【図５】
2018018544.tif 000007